(57)【要約】【課題】構造が簡単なため故障もなく、コンビニ、マーケットのビニール袋であれば大小にかかわらず使用でき、脱着が容易で取扱いが簡単。資源の再利用ができ、ランニングコストもかからない。ペンライトが柄の中に装着可能なため一体となりシンプルで歩行にも安全で、照明で犬のお尻の位置も確認ができ、体をかがむこともなく、糞取器が汚れる心配もなく、容易に糞を受取りやすい。【解決手段】スライド出来る鈎付のリングを柄に設け、その先端にロックナット付リングを設ける。その柄から二股の針金を設け各々の針金の中心部を屈折させ、尚且つその屈折部から外側へ広げ、針金の先端部分をＳ字に曲げさらにＳ字も外側へ、ハの字に曲げた事を特徴とする。【選択図】    図1
2006101821.tif 000002
【特許請求の範囲】
【請求項１】
円筒の柄（１）にスライドできる鉤付リング（２）を設けたことで、ビニール袋の大小にかかわらず、ビニール袋前部（９）の手提げ部分が針金（４）の先端部分のＳ字（６）から外れないように張ることができ、ビニール袋（７）の開口部を大きく広げ、容易に糞を受取りやすくし、針金（４）に糞が付かないように防止することを特徴とする、犬の糞取器。
【請求項２】
柄（１）の先端にロックナット付リング（３）を設けたことで、ペンシル型懐中電灯（１１）を柄（１）の中へ簡単に装着ができることを特徴とする、犬の糞取器。
【請求項３】
柄（１）の先端を二股の針金（４）にすることで、ビニール袋前部（９）の手提げ部分の大きさに合わせて張るように針金（４）の幅を広げることができ、ビニール袋の大小にかかわらず、ビニール袋（７）を簡単に装着できることを特徴とする、犬の糞取器。
【請求項４】
二股の針金（４）の延長の左右二ヵ所（計四ヶ所）（５）を屈折させることで、ペンシル型懐中電灯（１１）の照明が直接ビニール袋（７）に当たらずに、前方を照らすことができ、お尻の確認もでき、本人の歩行も安全で事故防止になり、かがむことがなく器具を差し出すだけで、容易に糞を受取りやすくすることを特徴とする、犬の糞取器。
【請求項５】
針金（４）の屈折部分（５）を外側へ広げることで、ビニール袋の大小にかかわらず開口部を張るために、スライドできる鉤付リング（２）を後方へ移動させると、ビニール袋（７）の開口部は張られて大きく外側へ広がり、容易に糞を受取りやすくし、針金（４）に糞が付かないように防止することを特徴とする、犬の糞取器。
【請求項６】
針金（４）の先端部分（６）を、Ｓ字に曲げ尚且つハの字に外側へ開くことで、ビニール袋の大小にかかわらず開口部を張るために、スライドできる鉤付リング（２）を後方へ移動させると、ビニール袋（７）の開口部は張られ、さらにより大きく外側へ広がり、より容易に糞を受取りやすくし、より針金（４）に糞が付かないように防止することを特徴とする、犬の糞取器。
【発明の詳細な説明】
【技術分野】
【０００１】
本発明は、柄の先端の中にペンシル型懐中電灯が装着でき、スライドできる鉤付リングを設け、針金を二股にして屈折させて広げただけの構造なので、構造が簡単でビニール袋の大小にかかわらず、簡単にビニール袋が脱着でき、器具を汚すことも無く、容易に糞を受取りやすく回収できる、犬の糞取器。
【背景技術】
【０００２】
従来の技術として懐中電灯装着、または装着可能なものもある。この例として、特許文献１や、特許文献２、特許文献３に開示されているものがある。
【特許文献１】特開２００３−０７９２６４
【特許文献２】特開２００３−０５２２６５
【特許文献３】実用新案登録３０９８３０９
【０００３】
ビニール袋の大小にかかわらず取付けできるものもある。この例として、特許文献４や、特許文献５に開示されているものがある。
【特許文献４】特開２００３−０５２２６６
【特許文献５】特開２００２−３３０６５７
【０００４】
ビニール袋を引掛けて柄の部分でスライドできるものもある。この例として、特許文献６に開示されているものがある。
【特許文献６】特開２００３−０２３９０２
【発明の開示】
【発明が解決しようとする課題】
【０００５】
しかし、従来の犬の糞取器は、懐中電灯の装着が取って付けた方法だったり、日中犬を散歩させる人には不必要な構造であった。また、ビニール袋の取付け部分がリング状であったり、ビニール袋の手提げ部分を引掛けて、スライド出来る範囲が短いため、ビニール袋の大きさが限定されたり、取付けが意外と面倒であった。しかも市販の犬の糞取器も数が少なくまた構造が複雑で高価であったり、ランニングコストが高かった。本発明は、以上のような欠点をなくすためになされたものである。
【課題を解決するための手段】
【０００６】
この課題を解決するための請求項１の発明は、円筒の柄にスライドできる鉤付リングを設けたことを特徴とする、犬の糞取器である。これは、ビニール袋の大小にかかわらず開口部を張るために、ビニール袋後部の手提げ部分を、スライドできる鉤付リングに引掛け後方へ移動させることで、ビニール袋前部の手提げ部分が針金の先端部分のＳ字から外れないように張ると同時に、ビニール袋の開口部は大きく広がり、容易に糞を受取りやすくすることと、針金が内側へ絞り込まれ、針金に糞が付かないように防止することができ、ビニール袋の大小にかかわらず使用できる。
【０００７】
この課題を解決するための請求項２の発明は、柄の先端にロックナット付リングを設けたことを特徴とする、犬の糞取器である。これは、ペンシル型懐中電灯を柄の中へ簡単に装着ができ一体となりシンプルでじゃまにならず、夜間、犬の散歩で本人の歩行にも安全で事故防止になり、懐中電灯の照明で犬のお尻も確認ができ、ビニール袋の外へ糞を外すこともなく、日中に犬の散歩をする人には装着不要にもできることを目的とする。
【０００８】
この課題を解決するための請求項３の発明は、柄の先端を二股の針金にすることを特徴とする、犬の糞取器である。これは、ビニール袋前部の手提げ部分の大きさに合わせて張るように針金の幅を広げることができ、ビニール袋の大小にかかわらず、ビニール袋を簡単に装着することを目的とする。
【０００９】
この課題を解決するための請求項４の発明は、二股の針金の延長の左右二ヶ所（計四ヶ所）を屈折させることを特徴とする、犬の糞取器である。これは、ペンシル型懐中電灯の照明が直接ビニール袋に当らずに、前方を照らすことができ、お尻の確認もでき、本人の歩行も安全で事故防止になり、いちいちかがむこともなく器具を差出すだけで、容易に糞を受取りやすくすることができることを目的とする。
【００１０】
この課題を解決するための請求項５の発明は、針金の屈折部分を外側へ広げることを特徴する、犬の糞取器である。これは、ビニール袋の大小にかかわらず開口部を張るために、ビニール袋後部の手提げ部分をスライドできる鉤付リングに引掛けて後方へ移動させると、ビニール袋の開口部は、張られ大きく外側へ広がることで容易に糞を受取りやすくし、針金に糞が付かないように防止できることを目的とする。
【００１１】
この課題を解決するための請求項６の発明は、針金の先端部分をＳ字に曲げ、尚且つハの字に外側へ開くことを特徴とする、犬の糞取器である。これは、ビニール袋前部の手提げ部分をＳ字に引掛け、ビニール袋の大小にかかわらず開口部を張るために、ビニール袋後部の手提げ部分をスライドできる鉤付リングに引掛けて後方へ移動させると、ビニール袋の開口部は張られ、さらにより大きく外側へ広がることで、より容易に糞を受取りやすくし、より針金に糞がつかないように防止できることを目的とする。
【発明の効果】
【００１２】
構造が簡単なため故障もなく、ビニール袋の脱着は大小にかかわらず容易で、容易に糞を受取りやすく取扱いが簡単。ペンシル型懐中電灯を装着可能のため夜間犬の散歩で本人の歩行にも安全で事故防止にもなり、照明で犬のお尻も確認ができる。犬の糞の受取りは後部、側面からかがむこと無く容易にでき、一度の散歩で何回でも、複数匹でも使用でき、体に負担も少なく、草むらに落とした糞や軟便など、ビニールで糞をつかむ不快感も無く、手を汚すことも無い。放置、異臭、路面も汚れないため、路上の環境美化に役たつ。コンビニ、マーケットのビニール袋であれば大きさにこだわらず、使用できるため、資源の再利用ができ、ランニングコストもかからず、愛犬家に提供できる。
【発明を実施するための最良の形態】
【００１３】
図２の中で、ビニール袋後部（８）の手提げ部分を、引掛けて張るためのスライドできる鉤付リング（２）を柄（１）に通して設けたことを特徴とする、犬の糞取器の分解斜視図である。これはビニール袋前部（９）の手提げ部分を針金の先端部分Ｓ字（６）へ引掛けた時、手提げ部分が外れないように張るためと、ビニール袋の大小にかかわらず開口部を張ることを目的とする。
【００１４】
図２の中で、柄（１）の先端にロックナット付リング（３）を設けたことを特徴とする、犬の糞取器の分解斜視図である。これは、ロックナットを緩め柄の中へ、ペンシル型懐中電灯（１１）を装着し締めて夜間でも使用するためである。
【００１５】
図３は、柄（１）の先端に、二股の針金（４）を設けたことを特徴とする、犬の糞取器の側面図である。二股の針金（４）の延長の左右各二ヵ所（計４ヵ所）を屈折（５）させる。二股の針金にした訳は、ビニール袋前部（９）の手提げ部分の大きさに合わせて張るように針金（４）の幅を広げることができ、ビニール袋の大小にかかわらず簡単に装着するためと、屈折はペンシル型懐中電灯（１１）の照明が直接ビニール袋（７）へ当たることを防ぎ、体をいちいちかがむこともなく器具を差し出すだけで、容易に糞を受取るためである。
【００１６】
図４と図５は、針金の屈折部（５）から針金（４）を外側へと広げたことを特徴とする、犬の糞取器の平面図と正面図である。これは、針金（４）の屈折部（５）を、さらに外へ広げることにより、ビニール袋の大小にかかわらず開口部を張るために、ビニール袋後部（８）の手提げ部分をスライドできる鉤付リング（２）に引掛けて後方へ移動させると、ビニール袋（７）の開口部は張られ大きく外側へ広がり、容易に糞が受取れるためと、針金（４）はビニール袋（７）より内側へ絞られ入り込み、針金（４）に糞が付かないようにするためである。
【００１７】
図４と図５は、針金の先端部分（６）をＳ字に曲げ、尚且つハの字になるように外側へ開げたことを特徴とする、犬の糞取器の平面図と正面図である。これは、ビニール袋前部（９）の手提げ部分をＳ字に引掛けて、上記と同様にビニール袋の大小にかかわらず開口部を張るために、ビニール袋後部（８）の手提げ部分を、スライド出来る鉤付リング（２）に引掛けて後方へ移動した時、ビニール袋（７）の開口部は張られ、さらにより大きく外側へ広がるようにして、より容易に糞が受取れるようにするためと、より針金（４）に糞が付かないようにするために工夫をした。
【００１８】
図６、図７と図８は、ビニール袋（７）の取り付け状態の、側面図、平面図と正面図である。ビニール袋（７）の開口部内側のビニール袋後部（８）の手提げ部分に、二股の針金（４）の両方を通し、次にビニール袋前部（９）の手提げ部分を両方のＳ字（６）に引掛ける。そのあとでビニール袋後部（８）の手提げ部分を鉤付リング（２）に引掛け、スライド出来る鉤付リング（２）を後方へ移動させてビニール袋（７）の開口部を張り、鉤付リングの固定つまみ（１０）で固定する。本発明は以上の構成よりなっている。
【実施例１】
【００１９】
本発明を使用するときは、ビニール袋（７）の取り付け方は、はじめは、ビニール袋（７）の開口部内側のビニール袋後部（８）の手提げ部分に、二股の針金（４）の両方を通し、次にビニール袋前部（９）の手提げ部分を両方のＳ字（６）に引掛ける。そのあとでビニール袋後部（８）の手提げ部分を鉤付リング（２）に引掛け、スライド出来る鉤付リング（２）を後方へ移動させて、ビニール袋前部（９）の手提げ部分がＳ字（６）から外れないように張ると同時に、ビニール袋の大小にかかわらず開口部を張り鉤付リングの固定つまみ（１０）で固定する。ビニール袋（７）の開口部は張られ大きく外側へ広がり、犬が糞をする時、犬の後方、側面からでも糞取器を、差し出すだけで、針金の屈折（５）により体をかがめることもなく、針金（４）が汚れる心配もなく、容易に糞を受取ることができる。
【実施例２】
【００２０】
図９は、糞を回収したビニール袋（７）の持ち方で、ビニール袋（７）の中の糞を、フライパンの中の焼飯を裏返す要領で、すくい上げて載せ、開口部が封をした状態で歩行でき異臭を放つ事がない。二匹以上の犬の散歩でとっさに再度使用する時、すくい上げたビニール袋（７）の糞を元に戻せば、ビニール袋（７）の開口部が開き再度使用できる。
【実施例３】
【００２１】
図１０は、ビニール袋後部（８）の手提げ部分を、鉤付リング（２）から外せば、糞の重みで針金の先端のＳ字（６）部分まで下がり、開口部が封をした状態で歩行でき異臭を放つ事が無くそのまま歩行できる。
【実施例４】
【００２２】
図１１は、ビニール袋（７）の手提げ部分を持ち、糞取器本体を吊っても歩行できる。
【実施例５】
【００２３】
図１２  図１３は、ビニール袋後部（８）の手提げ部分を、鉤付リング（２）にそのまま掛けて歩行しても、ビニール袋（７）の開口部を前後、左右へ傾けても糞の重みで外へ落ちる事もなく、本体を傾けるだけで、安心して再度使用できる。
【実施例６】
【００２４】
図１４  図１５は、夜間歩行の時は、柄（１）の先端のロックナット（３）を緩め、柄（１）の中にペンライト（１１）を装着し締めれば、一体となりシンプルでじゃまにならず、歩行にも安全でライトを持つ事もなく、犬のリードと糞取器だけで済み、照明でお尻の位置も確認ができ、犬が糞をする時、犬の後方、側面からでも糞取器を差し出すだけで、針金の屈折（５）により体をかがむことなく針金（４）が汚れる心配や、外へ糞を外すこともなく容易に受取ることができる。
【図面の簡単な説明】
【００２５】
【図１】本発明の斜視図
【図２】本発明の分解斜視図
【図３】二股の針金の延長の屈折部と先端部分のＳ字部分の側面図
【図４】二股の針金の屈折部分と先端部分のＳ字を外側へ広げた状態の平面図
【図５】二股の針金の屈折部分と先端部分のＳ字を外側へ広げた常態の正面図
【図６】ビニール袋取付け状態―側面図（実施例１）
【図７】ビニール袋取付け状態―平面図（実施例１）
【図８】ビニール袋取付け状態―正面図（実施例１）
【図９】ビニール袋の取扱いで、糞をすくい上げて持ち歩き再度使用時に元に戻す状態の側面図（実施例２）
【図１０】ビニール袋の取扱いで、ビニール袋の手提げ部分を鉤付リングから外して歩行する状態の側面図（実施例３）
【図１１】ビニール袋の取扱いで、ビニール袋の手提げ部分を持ち糞取器本体を吊って歩行する状態の側面図（実施例４）
【図１２】ビニール袋の再使用時取扱いで、そのままの状態で歩行しても糞は外へ落ちないで再使用できる左右へ傾けた状態の正面図（実施例５）
【図１３】ビニール袋の再使用時取扱いで、そのままの状態で歩行しても糞は外へ落ちないで再使用できる前後へ振った状態の側面図（実施例５）
【図１４】本発明使用状態の側面図（実施例６）
【図１５】本発明使用状態の背面（実施例６）
【符号の説明】
【００２６】
１      柄
２      鉤付リング
３      ロックナット付リング
４      針金
５      屈折部
６      針金先端Ｓ字
７      ビニール袋
８      ビニール袋後部手提げ部分
９      ビニール袋前部手提げ部分
１０    固定つまみ
１１    ペンシル型懐中電灯
【図１】
2006101821.tif 000003
【図２】
2006101821.tif 000004
【図３】
2006101821.tif 000005
【図４】
2006101821.tif 000006
【図５】
2006101821.tif 000007
【図６】
2006101821.tif 000008
【図７】
2006101821.tif 000009
【図８】
2006101821.tif 000010
【図９】
2006101821.tif 000011
【図１０】
2006101821.tif 000012
【図１１】
2006101821.tif 000013
【図１２】
2006101821.tif 000014
【図１３】
2006101821.tif 000015
【図１４】
2006101821.tif 000016
【図１５】
2006101821.tif 000017